(57)【要約】【課題】より簡単にトランク扉を開くことを可能とするエレベータを提供することである。【解決手段】エレベータ１は、乗りかご扉２２を有する乗りかご室１８と、乗りかご扉２２と対向する壁面の奥に設けられ、乗りかご室１８内の空間を拡張するためのトランク室２４と、乗りかご室１８とトランク室２４とを仕切るとともに開閉自在に設けられるトランク扉２６とを備え、トランク扉２６を開く際に、トランク扉２６の下方領域であり、乗りかご室１８内の床面から所定の距離までの領域が開口している。【選択図】図４
2013144598.tif 000002
【特許請求の範囲】
【請求項１】
乗りかご扉を有する乗りかご室と、
前記乗りかご扉と対向する壁面の奥に設けられ、前記乗りかご室内の空間を拡張するためのトランク室と、
前記乗りかご室と前記トランク室とを仕切るとともに開閉自在に設けられるトランク扉とを備え、
前記トランク扉を開く際に、前記トランク扉の下方領域であり、前記乗りかご室内の床面から所定の距離までの領域が開口していることを特徴とするエレベータ。
【請求項２】
請求項１に記載のエレベータにおいて、
前記床面に立設する板部と、
前記板部を倒すように付勢する付勢部材と、
前記付勢力に抗するように前記板部に当接するストッパと、
を備え、
前記ストッパは、前記トランク扉を開く際に、前記板部が倒れるように作動することを特徴とするエレベータ。
【請求項３】
請求項２に記載のエレベータにおいて、
前記トランク扉を施錠する鍵部を備え、
前記ストッパの作動は、前記鍵部の開錠に連動していることを特徴とするエレベータ。
【請求項４】
請求項１に記載のエレベータにおいて、
前記トランク扉の下方領域は、常時開口している開口部であることを特徴とするエレベータ。
【請求項５】
請求項１〜請求項４のいずれか１項に記載のエレベータにおいて、
前記所定の距離は、１ｃｍ以上であることを特徴とするエレベータ。
【発明の詳細な説明】
【技術分野】
【０００１】
本発明は、エレベータに関する。
【背景技術】
【０００２】
現在、様々な場所にエレベータが設置されている。エレベータのタイプも様々であるが、例えば、マンション等に設置されるエレベータには、乗りかご室内の空間を広げるためのトランク室が設けられている。また、当該エレベータには、乗りかご室内とトランク室内とを仕切るとともに開閉自在に設けられるトランク扉が設けられているが、当該トランク扉は、通常時は閉じられている。そして、担架を乗りかご室内に搬入する等の救急時には、乗りかご室内の空間が狭くなるため、トランク扉が開けられて空間が拡張されている。
【０００３】
本発明に関連する技術として、例えば、特許文献１には、乗りかご内壁に設けたトランクと、このトランクの入口に乗りかご内方側に回動して開く扉とを備えてなるエレベータ用トランク付き乗りかごにおいて、扉を開く際、その扉を所定寸法上昇させる構造にしたことを特徴とするエレベータ用トランク付き乗りかごが開示されている。
【先行技術文献】
【特許文献】
【０００４】
【特許文献１】特開２００１−１７１９５１号公報
【発明の概要】
【発明が解決しようとする課題】
【０００５】
ところで、上記のようなトランク室を備えるエレベータが設置されているマンションでは、意匠的な観点やスリップ防止の観点等から乗りかご室内の床面にフロアマットが配置されていることがある。そして、このフロアマットが毛足の長いようなタイプのものである場合には、トランク扉を開く際に、当該フロアマットに引っ掛かることがある。このような場合に、フロアマットを一旦取り外してからトランク扉を開く必要があり、不便である。
【０００６】
本発明の目的は、より簡単にトランク扉を開くことを可能とするエレベータを提供することである。
【課題を解決するための手段】
【０００７】
本発明に係るエレベータは、乗りかご扉を有する乗りかご室と、前記乗りかご扉と対向する壁面の奥に設けられ、前記乗りかご室内の空間を拡張するためのトランク室と、前記乗りかご室と前記トランク室とを仕切るとともに開閉自在に設けられるトランク扉とを備え、前記トランク扉を開く際に、前記トランク扉の下方領域であり、前記乗りかご室内の床面から所定の距離までの領域が開口していることを特徴とする。
【０００８】
また、本発明に係るエレベータにおいて、前記床面に立設する板部と、前記板部を倒すように付勢する付勢部材と、前記付勢力に抗するように前記板部に当接するストッパと、を備え、前記ストッパは、前記トランク扉を開く際に、前記板部が倒れるように作動することが好ましい。
【０００９】
また、本発明に係るエレベータにおいて、前記トランク扉を施錠する鍵部を備え、前記ストッパの作動は、前記鍵部の開錠に連動していることが好ましい。
【００１０】
また、本発明に係るエレベータにおいて、前記トランク扉の下方領域は、常時開口している開口部であることが好ましい。
【００１１】
また、本発明に係るエレベータにおいて、前記所定の距離は、１ｃｍ以上であることが好ましい。
【発明の効果】
【００１２】
本発明によれば、より簡単にトランク扉を開くことができる。
【図面の簡単な説明】
【００１３】
【図１】本発明に係る実施の形態において、エレベータを示す図である。
【図２】本発明に係る実施の形態において、トランク扉側から乗りかご扉側を見た様子を示す図である。
【図３】本発明に係る実施の形態において、乗りかご扉側からトランク扉側を見た様子を示す図である。
【図４】本発明に係る実施の形態において、トランク扉をトランク室内から見た様子を示す図である。
【図５】本発明に係る実施の形態において、トランク扉をトランク室内から見た様子を示す図である。
【発明を実施するための形態】
【００１４】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１５】
図１は、エレベータ１を示す図である。図２は、トランク扉２６側から乗りかご扉２２側を見た様子を示す図である。図３は、乗りかご扉２２側からトランク扉２６側を見た様子を示す図である。エレベータ１は、主ロープ２と、釣合錘４と、巻上機６と、エレベータ１全体を制御する制御盤８と、乗りかご１０と、乗場扉１２と、昇降路１４とを備える。また、エレベータ１は、乗りかご１０について、各階の乗場１６の間を昇降させることで乗客を移動させる。
【００１６】
主ロープ２は、乗りかご１０を吊るすためのロープであり、巻上機６に巻き掛けられている。そして、主ロープ２の一方端は乗りかご１０に接続され、他方端は釣合錘４が接続されている。
【００１７】
釣合錘４は、主ロープ２の他方端に接続され、主ロープ２の一方端に接続される乗りかご１０との間でバランスを取るために必要な重量が設定される。
【００１８】
巻上機６は、制御盤８の制御によって、巻き掛けられた主ロープ２を駆動させることで乗りかご１０を昇降させるための装置である。また、巻上機６は、機械室１７に配置されている。
【００１９】
乗場扉１２は、各乗場１６に設けられる扉であり、乗りかご１０が着床した際に、乗りかご扉２２とともに開く。これにより、乗客が乗りかご１０に対して乗り降りすることができる。
【００２０】
乗りかご１０は、制御盤８の制御によって、巻上機６が作動すると昇降路１４内を昇降し、乗客を乗せるための構造物である。乗りかご１０は、乗りかご室１８と、かご操作装置２０と、乗りかご扉２２と、トランク室２４と、トランク扉２６とを備える。
【００２１】
乗りかご室１８は、乗客を乗せるための空間を有する部屋である。乗りかご室１８は、床面１８ａと四方を囲むように設けられる壁面１８ｂ〜１８ｅと天井面１８ｆによって形成されている。乗りかご室１８の大きさの一例を挙げると、床面１８ａの面積が４ｍ2であり、床面１８ａから天井面１８ｆまでの高さが２ｍである。また、乗りかご室１８の床面１８ａ上には、乗客のスリップ防止や泥除け等のためにフロアマット１９が配置されている。フロアマット１９は、所定の長さの毛足を有しており、その高さは、例えば、１ｃｍ程度である。
【００２２】
かご操作装置２０は、乗りかご１０内に乗り込んだ乗客が行先階を選択したり、乗りかご扉２２を開閉したりするための押釦２０２と、乗りかご１０が位置している階やその他の情報を表示するインジケータ２０４を備える操作盤である。かご操作装置２０は、乗りかご１０の側面のうち乗りかご扉２２の隣の壁面１８ｂに取り付けられる。
【００２３】
乗りかご扉２２は、乗りかご１０に設けられる扉であり、乗りかご１０が行先階の乗場１６に着床した際に、当該乗場１６の乗場扉１２ともに開く。これにより、乗客が乗りかご１０に対して乗り降りすることができる。
【００２４】
トランク室２４は、乗りかご扉２２と対向する壁面１８ｄの奥に設けられ、乗りかご室１８内の空間を拡張するための部屋である。トランク室２４の大きさの一例をあげると、床面２４ａが１ｍ2であり、床面２４ａから天井面２４ｂまでの高さが５０ｃｍである。
【００２５】
トランク扉２６は、乗りかご室１８とトランク室２４とを仕切るとともに開閉自在に設けられる扉である。また、トランク扉２６は、観音開きタイプの両開き扉であるが、通常時はロック機構である鍵部２８によって施錠されており、乗りかご室１８内の空間を拡張する必要のある緊急時等に開錠される。鍵部２８は、シリンダ錠であり、対応する鍵を挿入してシリンダを回転させ、これにより施開錠することができる。そして、鍵部２８が施錠状態のときはトランク扉２６を開くことができず閉じられた状態であるが、開錠状態のときはトランク扉２６を開くことができる。
【００２６】
幅木板３０は、乗りかご室１８においてトランク扉２６の下方領域であり、乗りかご室１８内の床面１８ａからフロアマット１９の高さよりも高い位置まで開口された開口領域３２を塞ぐことが可能な板部材である。ここで、開口領域３２の高さは、少なくとも１ｃｍ以上であることが好適であり、２ｃｍ以上であることがより好適である。これにより、トランク扉２６の最下部２６ａは、フロアマット１９の高さよりも高い位置となる。
【００２７】
図４は、トランク扉２６をトランク室２４内から見た様子を示す図であり、鍵部２８が施錠された状態を示す図である。図５は、トランク扉２６をトランク室２４内から見た様子を示す図であり、鍵部２８が開錠された状態を示す図である。引っ張りバネ３４は、一方端が幅木板３０の裏面に取り付けられ、他方端がトランク室２４の床面２４ａに取り付けられるバネ部材である。これにより、幅木板３０がトランク室２４の床面２４ａ側に倒れるように力が加えられている。
【００２８】
また、トランク扉２６には、ストッパ３６が設けられている。ストッパ３６は、トランク扉２６と幅木板３０に跨って設けられる棒部材である。また、ストッパ３６は、図示しない付勢手段によって矢印Ａ方向に付勢力が加えられている。なお、ストッパ３６は、矢印Ａ方向に沿って移動可能なように複数の案内孔３７を貫通している。そして、ストッパ３６は、鍵部２８のシリンダの回転によって回転するカム３８の凸部３８ａが当接することによって矢印Ａ方向と反対方向に押さえられる。すなわち、鍵部２８が施錠されると、カム３８の凸部３８ａがストッパ３６の端部に当接することで、図４に示されるように、ストッパ３６が矢印Ａ方向と反対方向に押されて、トランク扉２６と幅木板３０とに跨った状態となる。これにより、ストッパ３６が幅木板３０と当接した状態となるため、幅木板３０が引っ張りバネ３４によってトランク室２４の床面２４ａ側に倒れることを防止することができる。また、鍵部２８が開錠されるとカム３８の凸部３８ａがストッパ３６の端部からずれることで、図５に示されるように、ストッパ３６が矢印Ａ方向に押されて、幅木板３０に当接しなくなる。これにより、幅木板３０が引っ張りバネ３４によってトランク室２４の床面２４ａ側に倒れる。
【００２９】
続いて、上記エレベータ１の作用について説明する。上述したように、乗りかご室１８内に担架等を乗せる必要がない場合には、トランク扉２６は閉じられたままの状態でよいため、鍵部２８は施錠されている。このとき、図４に示されるように、ストッパ３６が幅木板３０に当接しているため、幅木板３０は立設されたままの状態である。そして、乗りかご室１８内に担架等を乗せるような緊急時の場合には、乗りかご室１８内の空間を拡張するためにトランク扉２６を開く必要がある。このとき、鍵部２８を開錠すると、図５に示されるように、この開錠に連動してストッパ３６が矢印Ａ方向に押されて幅木板３０に当接しなくなるため、幅木板３０はトランク室２４の床面２４ａ側に倒れる。そして、トランク扉２６を開くとトランク室２４の空間も利用することで担架等を乗せることができる。このとき、トランク扉２６の最下部２６ａはフロアマット１９の高さよりも高い位置にあるため、開く際にもフロアマット１９に引っ掛からない。したがって、いちいちフロアマット１９を取り外す必要もなく、より簡単にトランク扉２６を開くことができる。
【００３０】
なお、上記エレベータ１では、開口領域３２を塞ぐために、幅木板３０と引っ張りバネ３４とストッパ３６とカム３８等を備える点について説明したが、これらの要素は備えずに、開口領域３２が常時開口されている状態であってもよい。この場合には、トランク扉２６を開ける際に、フロアマット１９に引っ掛からないため、いちいちフロアマット１９を取り外す必要もなく、より簡単にトランク扉２６を開くことができる。ただし、この場合は、開口領域３２からトランク室２４内に塵が入ったり、美感も好ましいものは言えないため、幅木板３０と引っ張りバネ３４とストッパ３６とカム３８等を備えることが好適である。
【符号の説明】
【００３１】
１  エレベータ、２  主ロープ、４  釣合錘、６  巻上機、８  制御盤、１０  乗りかご、１２  乗場扉、１４  昇降路、１６  乗場、１７  機械室、１８  乗りかご室、１８ａ  床面、１８ｂ，１８ｃ，１８ｄ，１８ｅ  壁面、１８ｆ  天井面、１９  フロアマット、２０  かご操作装置、２２  乗りかご扉、２４  トランク室、２４ａ  床面、２４ｂ  天井面、２６  トランク扉、２６ａ  最下部、２８  鍵部、３０  幅木板、３２  開口領域、３４  引っ張りバネ、３６  ストッパ、３７  案内孔、３８  カム、３８ａ  凸部、２０２  押釦、２０４  インジケータ。
【図１】
2013144598.tif 000003
【図２】
2013144598.tif 000004
【図３】
2013144598.tif 000005
【図４】
2013144598.tif 000006
【図５】
2013144598.tif 000007